(57)【要約】移動体マークに付加情報を持たせることにより、視認性を高め、利便性を向上させる。そのために、目的対象に関連付けたアイコンを含む情報データを取得する情報データ取得部と、地図データを取得する地図データ取得部と、移動体の位置に対応した地図を移動体マークとともに表示する表示部と、移動体位置が所定の目的対象に対し所定の距離範囲内に接近するかまたは同一画面内に入ったときに、情報データ取得部から目的対象に関連付けたアイコンと説明を読み出して移動体マークの代わりに表示する移動体マーク表示制御部とを備える。これにより、地図表示画面からその目的対象をわざわざ探すことなく、その目的対象に近づいたこと、およびその位置や説明を容易に知ることができる。
2005022086.tif 000002
【特許請求の範囲】
【請求項１】
移動体の位置が所定の目的対象に対し所定の距離範囲内に接近したか否かを判断する移動体位置判断手段と、前記移動体の位置が所定の目的対象に対し所定の距離範囲内に接近したときに、移動体の位置を示す移動体マークを前記目的対象に関連付けたマーキング情報により表示する表示制御手段とを備えた移動体位置表示装置。
【請求項２】
移動体の位置が所定の目的対象と同一画面に入ったか否かを判断する移動体位置判断手段と、前記移動体の位置が所定の目的対象と同一画面に入ったときに、移動体の位置を示す移動体マークを前記目的対象に関連付けたマーキング情報により表示する表示制御手段とを備えた移動体位置表示装置。
【請求項３】
前記所定の目的対象を設定するとともに、前記表示するマーキング情報としてアイコンを設定する入力手段を備えたことを特徴とする請求項１記載の移動体位置表示装置。
【請求項４】
前記所定の目的対象を設定するとともに、前記表示するマーキング情報としてアイコンを設定する入力手段を備えたことを特徴とする請求項２記載の移動体位置表示装置。
【請求項５】
前記表示制御手段は、前記設定された目的対象の種類を記憶し、同種類の目的対象に近づいたときに、前記目的対象に関連付けられたアイコンを表示することを特徴とする請求項３記載の移動体位置表示装置。
【請求項６】
前記表示制御手段は、前記設定された目的対象の種類を記憶し、同種類の目的対象に近づいたときに、前記目的対象に関連付けられたアイコンを表示することを特徴とする請求項４記載の移動体位置表示装置。
【請求項７】
前記表示制御手段は、所定の地域に進入した場合に、その地域を代表する産物、名所、行事に関するアイコンを移動体マークの代わりに表示することを特徴とする請求項１記載の移動体位置表示装置。
【請求項８】
前記表示制御手段は、所定の地域に進入した場合に、その地域を代表する産物、名所、行事に関するアイコンを移動体マークの代わりに表示することを特徴とする請求項２記載の移動体位置表示装置。
【請求項９】
前記表示制御手段は、前記アイコンとともに前記目的対象または地域についての情報を表示することを特徴とする請求項７記載の移動体位置表示装置。
【請求項１０】
前記表示制御手段は、前記アイコンとともに前記目的対象または地域についての情報を表示することを特徴とする請求項８記載の移動体位置表示装置。
【請求項１１】
前記マーキング情報を含む情報データを記録媒体または通信手段により更新可能なことを特徴とする請求項１記載の移動体位置表示装置。
【請求項１２】
前記マーキング情報を含む情報データを記録媒体または通信手段により更新可能なことを特徴とする請求項２記載の移動体位置表示装置。
【請求項１３】
地図を画面に表示するステップと、
移動体の位置を検出するステップと、
前記画面に表示された地図上に、検出された移動体の位置を示す移動体マークを表示して経路を誘導するステップと、
所定の目的対象を走行ルートを基にして検索するステップと、
前記移動体の位置が前記目的対象に対し所定の距離範囲内に接近したか否かを検出するステップと、
前記移動体の位置が所定の目的対象に対し所定の距離範囲内に接近したことを検出したときに、移動体の位置を示す移動体マークを前記目的対象に関連付けたマーキング情報により表示するステップと、
を有する移動体位置表示方法。
【請求項１４】
地図を画面に表示するステップと、
移動体の位置を検出するステップと、
前記画面に表示された地図上に、検出された移動体の位置を示す移動体マークを表示して経路を誘導するステップと、
所定の目的対象を走行ルートを基にして検索するステップと、
前記移動体の位置が前記目的対象と同一画面に入ったか否かを検出するステップと、
前記移動体の位置が所定の目的対象と同一画面に入ったことを検出したときに、移動体の位置を示す移動体マークを前記目的対象に関連付けたマーキング情報により表示するステップと、
を有する移動体位置表示方法。
【発明の詳細な説明】
【技術分野】  本発明は、移動体の現在位置を検出して移動体位置に対応する道路地図データを読み出し、ディスプレイ上に表示された道路地図上に移動体マークを表示して経路を誘導する移動体位置表示装置および方法に関する。
発明の背景
移動体位置表示装置として車両用のナビゲーション装置を例にとると、従来、ナビゲーション装置では、ＧＰＳ（Ｇｌｏｂａｌ  Ｐｏｓｉｔｉｏｎｉｎｇ  Ｓｙｓｔｅｍ）受信機などの現在位置検出手段により移動体である自車の現在位置を検出し、その現在位置に対応する道路地図データをＤＶＤ（Ｄｉｇｉｔａｌ  Ｖｅｒｓａｔｉｌｅ  Ｄｉｓｃ）−ＲＯＭなどの記録媒体から読み出して地図をディスプレイに表示するとともに、ユーザが設定した目的地までの推奨経路を経路探索手段を用いて探索し、その推奨経路を自車マークとともにディスプレイ上の地図に重ねて表示することにより、ユーザを目的地まで誘導するように構成されている。また、交差点やインターチェンジなどの分岐点に近づくと、その拡大図や立体図が表示され、進行方向の案内や到達点までの距離などが音声により案内される。さらに、経路上の渋滞情報などの道路交通情報を、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍｓ）における路上ビーコンやＦＭ多重放送により取得してディスプレイに表示することができる。
ディスプレイ上の地図に表示される自車マークは、自車が現在どの位置にいるかを示す極めて重要なものである。自車マークは、現在位置検出手段の検出結果に基づいて、道路地図データとのマップマッチングにより表示位置が決定されるが、現在位置検出手段の検出精度に問題がある場合には、自車マークは道路から外れて表示されたり、異なる道路上に表示されることになる。そこで、自車マークの位置状態を判定し、地図表示画面の自車マークが位置する表示オブジェクト（施設や河川、一方通行道路など）の表示形式を変更して、ユーザが現在の状況を容易に認識できるようにしたナビゲーション装置が提案されている（例えば、日本特許公開２００２−３４０５９０号参照）。また、自車マーク自体に付加情報を持たせる試みも行われている。例えばＧＰＳ受信機を使用した電波航法により自車位置を検出している場合と、方位センサや速度センサを用いた自律航法により自車位置を検出している場合とで、自車マークの色を変更する走行誘導装置が知られている（例えば、日本特許公開平０３−１３１７１４号参照）。
しかしながら、従来のナビゲーション装置では、自車マーク自体に付加情報を持たせる試みは行われているものの、十分とは言えなかった。例えば、ナビゲーション装置を利用してドライブする場合、現在位置から目的地までの走行ルートは表示されるが、その途中でレストラン等の施設を探す場合には、車両を一旦停止させて調べなければならない。ディスプレイに表示された地図画面には、施設などについての地点情報またはランドマーク情報が多く表示されているが、それらを運転しながら探すことは好ましくない。
【発明の開示】
本発明は、このような従来の課題に鑑みてなされたもので、必要な情報の視認性を高め、利便性を向上させた移動体位置表示装置および方法を提供することを目的とする。
上記課題を解決するために、本発明の移動体位置表示装置は、移動体の位置を検出する移動体位置検出手段と、前記移動体の位置が所定の目的対象に対し所定の距離範囲内に接近したか否かを判断する移動体位置判断手段と、前記移動体の位置が所定の目的対象に対し所定の距離範囲内に接近したときに、移動体の位置を示す移動体マークを前記目的対象に関連付けたマーキング情報により表示する表示制御手段とを備えたものである。
この構成により、自分が行こうとしている目的対象または探している目的対象に近づいた場合に、従来の移動体マークの代わりにまたは従来の移動体マークとともに、その目的対象に関連付けたマーキング情報を表示することにより、地図表示画面からその目的対象を探すことなく、その目的対象に近づいたことを容易に知ることができ、より安全な運転や進行に資することができる。なお、目的対象に関連付けたマーキング情報とは、その目的対象を簡潔に表示するアイコン情報、または移動体マークとその目的対象とを同時に点滅させたり、同色で表示したり、直線で繋いだり、経路で繋いだりするための制御情報である。
また、本発明の移動体位置表示装置は、移動体の位置を検出する移動体位置検出手段と、前記移動体の位置が所定の目的対象と同一画面に入ったか否かを判断する移動体位置判断手段と、前記移動体の位置が所定の目的対象と同一画面に入ったときに、移動体の位置を示す移動体マークを前記目的対象に関連付けたマーキング情報により表示する表示制御手段とを備えたものである。
この構成により、移動体の位置が、自分が行こうとしている目的対象または探している目的対象と同じ画面に入った場合に、従来の移動体マークの代わりにまたは従来の移動体マークとともに、その目的対象に関連付けたマーキング情報を表示することにより、地図表示画面からその目的対象を探すことなく、その目的対象に近づいたことを容易に知ることができ、より安全な運転や進行に資することができる。
また、本発明の移動体位置表示装置は、前記所定の目的対象を設定するとともに、前記表示するマーキング情報としてアイコンを設定する入力手段を備えたことを特徴とするものである。この構成により、自分が行こうとしている目的対象または探している目的対象を予め設定することができ、また目的対象に関連付けられた複数のアイコンから好みのアイコンを選択して表示させることができる。
また、本発明の移動体位置表示装置は、前記表示制御手段が、前記設定された目的対象の種類を記憶し、同種類の目的対象に近づいたときに、前記目的対象に関連付けられたアイコンを表示することを特徴とするものである。この構成により、同種類の目的対象については、その都度、目的対象を入力設定することなく、その種の目的対象に近づいたときに自動的にその目的対象に関連付けられたアイコンを表示することができる。
また、本発明の移動体位置表示装置は、前記表示制御手段が、所定の地域に進入した場合に、その地域を代表する産物、名所、行事に関するアイコンを移動体マークの代わりに表示することを特徴とするものである。この構成により、道路地図データの中の県境情報を基に所定の地域に進入したことを認識した場合、例えば秋田県に入った場合には、秋田県の産物である秋田犬のアイコンを表示したり、秋田県の県花である蕗のアイコンを表示したり、秋田県の夏のお祭り行事で用いられる竿灯のアイコンを表示したりすることができる。
また、本発明の移動体位置表示装置は、前記表示制御手段が、前記アイコンとともに前記目的対象または地域についての情報を表示することを特徴とするものである。この構成により、目的対象または地域についてのより具体的な情報を得ることができる。
また、本発明の移動体位置表示装置は、前記マーキング情報を含む情報データを記録媒体または通信手段により更新可能なことを特徴とするものである。この構成により、最新の情報データを取得できるとともに、自分の好みに合ったアイコンを選択することができる。
また、本発明の移動体位置表示方法は、検出された移動体の位置を画面に表示された地図上に表示して経路を誘導する移動体位置表示装置において、前記移動体の位置が所定の目的対象に対し所定の距離範囲内に接近したときに、移動体の位置を示す移動体マークを前記目的対象に関連付けたマーキング情報により表示するものである。
この構成により、自分が行こうとしている目的対象または探している目的対象に近づいた場合に、従来の移動体マークの代わりにまたは従来の移動体マークとともに、その目的対象に関連付けたマーキング情報を表示することにより、地図表示画面からその目的対象を探すことなく、その目的対象に近づいたことを容易に知ることができ、より安全な運転や進行に資することができる。
また、本発明の移動体位置表示方法は、検出された移動体の位置を画面に表示された地図上に表示して経路を誘導する移動体位置表示装置において、前記移動体の位置が所定の目的対象と同一画面に入ったときに、移動体の位置を示す移動体マークを前記目的対象に関連付けたマーキング情報により表示するものである。
この構成により、移動体の位置が、自分が行こうとしている目的対象または探している目的対象と同じ画面に入った場合に、従来の移動体マークの代わりにまたは従来の移動体マークとともに、その目的対象に関連付けたマーキング情報を表示することにより、地図表示画面からその目的対象を探すことなく、その目的対象に近づいたことを容易に知ることができ、より安全な運転や進行に資することができる。
本発明は、移動体の位置が所定の目的対象に対し所定の距離範囲内に接近したまたは同一画面内に入ったときに、移動体の位置を示す移動体マークを目的対象に関連付けたマーキング情報に変化させて表示するようにしたので、自分が行こうとしている目的対象または探している目的対象に近づいた場合に、従来の移動体マークの代わりにまたは従来の移動体マークとともに、その目的対象に関連付けたマーキング情報を表示することにより、地図表示画面からその目的対象をわざわざ探すことなく、その目的対象に近づいたことを容易に知ることができ、必要な情報の視認性を高め、利便性を向上させることができ、より安全な運転や進行に資することができる。また、表示画面において一番見る機会の多い移動体マークに付加情報を持たせることにより、移動体マークを見るだけで、ある程度必要な情報を得ることができ、ナビゲーション装置の利用価値を高めることができる。
本発明の上記目的および利点は、図面を参照して説明される以下の実施の形態によって、より一層明らかになるであろう。
【図面の簡単な説明】  図１は、本発明の一実施の形態におけるナビゲーション装置の概略構成を示すブロック図である。
図２は、本発明の実施の形態における自車マーク表示制御動作を示すフローチャートである。
図３は、本発明の実施の形態における自車マーク表示制御動作を図解する模式図である。
図４は、本発明の実施の形態における別の自車マーク表示制御動作を示すフローフローチャートである。
図５は、本発明の実施の形態における別の自車マーク表示制御動作を図解する模式図である。
【発明を実施するための最良の形態】  以下、本発明の実施の形態について図面を用いて説明する。図１は本発明の実施の形態における移動体位置表示装置としての車両用のナビゲーション装置の概略構成を示している。なお、この実施の形態においては、移動体位置表示装置として車両用のナビゲーション装置を例に挙げて説明するが、車両に限らず一般的な移動体（例えば、携帯電話や携帯端末）の位置表示装置に適用可能である。
このナビゲーション装置は、車両などの移動体の移動方向を検出する方位センサ１と、車両の速度を検出する車速センサ２と、車輪の回転数に応じたパルスを発生して車速を検出するものである。方位センサ１および車速センサ２からの信号を演算処理するセンサ信号処理部３と、ＧＰＳ（Ｇｌｏｂａｌ  Ｐｏｓｉｔｉｏｎｉｎｇ  Ｓｙｓｔｅｍ）衛星から送信される電波を受信するＧＰＳ受信機４と、各種入力設定を行う入力部５とを備えている。この実施の形態に係るナビゲーション装置はまた、地図および自車マークなどの表示を行う表示部６と、外部装置や記憶媒体から道路地図データを取得する地図データ取得部７と、地図データに関連する各種情報を外部装置や記憶媒体から取得する情報データ取得部８と、ナビゲーション装置の動作をコントロールする制御部９とを備えている。
図１において、方位センサ１は、自動車の相対走行方位を検出するものであり、振動ジャイロが使用される。車速センサ２は、車輪の回転数に応じたパルスを発生して車速を検出するものである。センサ信号処理部３は、方位センサ１および車速センサ２からのセンサ信号を処理して車両の進行方位および走行距離を算出するものである。ＧＰＳ受信機４は、複数のＧＰＳ衛星から送信される電波を受信して演算処理を行うことにより、受信点の位置（緯度、経度）を求めるものである。入力部５は、目的地やマーキング情報の入力設定、その他の入力設定を行うタッチパネルやリモコンである。表示部６は、地図および自車マークや走行経路などの走行に必要な情報を表示する液晶ディスプレイである。地図データ取得部７は、ＤＶＤやメモリカードなどの記憶媒体から、またはネットワークを通じて外部装置から道路地図データを取得するドライブやインタフェースまたは通信手段である。情報データ取得部８は、施設、観光地などの目的対象や県市町村などの地域に関する位置情報と案内情報、および目的対象または地域に関連付けたアイコンなどのマーキング情報を、ＤＶＤやメモリカードなどの記憶媒体から、またはネットワークを通じて外部装置から取得するドライブやインタフェースまたは通信手段である。制御部９は、ナビゲーション装置の全体を制御するマイクロプロセッサであり、ナビゲーション装置の動作をコントロールするために、検出された現在位置が表示画面のどの位置にあるのか、入力設定された目的対象と現在位置との距離がどのくらいあるのか等を判断する位置判断部１０と、入力設定された目的地までの経路を探索する経路探索部１１と、検出された現在位置に対応する地図データ、または要求された地図データを地図データ取得部７から読み出して表示部６に表示する地図表示制御部１２と、入力部５からユーザが設定した目的対象に該当するマーキング情報を情報データ取得部８から読み出して自車マークの代わりに、または自車マークとともに表示する自車マーク表示制御部１３とを備えている。
次に、上記のように構成されたナビゲーション装置の動作について説明する。初めにナビゲーション動作の概略について説明する。図１において、方位センサ１および車速センサ２の出力がセンサ処理部３を介して制御部９に送られ、ＧＰＳ受信機４が受信したＧＰＳ衛星からのデータが制御部９に送られる。制御部９では、これらのデータから自車の現在位置の緯度および経度を算出する。次いで算出された現在位置に対応する地図データが地図データ取得部７から読み出される。読み出された地図データは、画像データに変換された後、表示部６に送られ、所定範囲の地図が自車マークとともに表示される。また、経路探索部１１で探索された目的地までの経路も地図上に重ねて表示される。車両の走行にしたがって自車位置が逐次変化するので、それに対応する地図データが順次読み出されて、地図画面が更新される。
次に、本実施の形態の制御部９における自車マーク表示制御動作について、図２を用いて説明する。ここでは、自車は経路探索部１１により探索されたルート上を走行するものとする。初めに目的対象を入力設定する（ステップＳ１）。例えば、ユーザが、“今日の昼食にはラーメン（中華そば）を食べよう”と考えた場合、出発前または走行途中で停車して、入力部５からメニュー画面を呼び出し、「検索」画面から「自車位置マーキング情報」を選択すると、施設のジャンルが表示されるので、「食事」を選び、「レストラン（中華）」を選ぶと、走行ルート上の該当する複数の目的対称が情報データ取得部８から検索されて、その位置情報とともに料金などの店情報が制御部９内のメモリに記憶される（ステップＳ２）。この状態で走行を開始すると、位置判断部１０は、自車位置すなわち自車マークが表示された位置から、例えば５００ｍ以内に目的対象となるラーメンを提供する店があるかどうかを、例えば５分毎に調べ（ステップＳ３）、ある場合には、図３（ａ）のように現在表示されている自車マーク２１の代わりに、自車マーク表示制御部１３が、図３（ｂ）のようにラーメン店２２のアイコン２３を表示するとともに、その店情報２４を表示する（ステップＳ４）。その際、自車マーク２１がアイコン２３に代わったことを音でユーザに知らせるようにしてもよい。
別の方法としては、図４に示すように、目的対象を入力設定した後（ステップＳ１１）、設定された目的対象を走行ルート上から検索して記憶する（ステップＳ１２）までは上記と同じであるが、次に、位置判断部１０は、自車位置すなわち自車マークが表示された画面と同じ画面内に目的対象となるラーメンを提供する店があるかどうかを、例えば５分毎に調べ（ステップＳ１３）、ある場合には、図５（ａ）のように現在表示されている自車マーク２１の代わりに、自車マーク表示制御部１３が、図５（ｂ）のようにラーメン店２２のアイコン２３を表示するとともに、その店までを連結線２５で結び、さらにアイコン２３とラーメン店２２とを目立つ同じ色で表示するとともに、同時に点滅させる（ステップＳ１４）。この連結線２５で結ぶこと、アイコン２３とラーメン店２２とを同じ色で表示すること、アイコン２３とラーメン店２２とを同時に点滅させることは、どれか１つであってもよい。また、連結線２５は道路に沿った線でもよい。なお、この例では、自車マーク２１は、アイコン２３に代えずに元の自車マーク２１のままでも、連結線２５や同色、同時点滅などで自車マーク２１とラーメン店２２とが明確に関連付けられているので、ラーメン店２２を容易に把握することができる。
このように、本実施の形態によれば、自車の現在位置を検出する方位センサ１、車速センサ２、ＧＰＳ受信機４などの自車位置検出手段と、目的対象に関連付けたアイコンを含む情報データを取得する情報データ取得部８と、地図データを取得する地図データ取得部７と、自車位置検出手段が検出した自車位置に対応した地図を自車マークとともに表示する表示部６と、自車位置が所定の目的対象に対し所定の距離範囲内に接近するかまたは同一画面内に入ったときに、情報データ取得部８から目的対象に関連付けたアイコンと説明を読み出して自車マークの代わりに表示する自車マーク表示制御部１３とを備えているので、地図表示画面からその目的対象をわざわざ探すことなく、その目的対象に近づいたこと、およびその位置や説明を容易に知ることができる。つまり、目的対象に近づいたときに自車マークが変化するので、目的対象に近づいたことを容易に気づくことになる。
なお、上記実施の形態においては、目的対象としてラーメン店を設定したが、同様にしてペットショップを探したいならば、自車マークの代わりに犬や猫のアイコンを表示することができる。この場合、さらに自分の気に入った種類の犬や猫のアイコンを選択できるように、情報データベースの項目数や内容を充実させとおくとよい。
また、上記実施の形態においては、経路探索手段１１により設定されたルート上を走行している場合の例であるが、設定されたルート上を走行していない場合またはルートを設定しないで走行している場合は、車両を一旦停止させて、自車位置から所定距離、例えば５ｋｍまたは１０ｋｍ範囲内に絞って周辺施設検索を行い、この検索で得られた位置情報等を記憶した後、上記実施の形態と同様に、自車が目的対象に対し例えば５００ｍ以内または同一画面内に入った場合に、自車マークを変更することができる。
また、上記実施の形態においては、走行開始前または走行途中で、「自車位置表示マーキング情報」を入力設定するようにしているが、これはドライブの度毎に目的対象が異なるからである。したがって、例えば定期便トラックのように毎回同じルートを走行する場合には、同じ目的対象が選択される場合も多いので、このような場合には、入力設定した「自車位置表示マーキング情報」を記憶しておくことにより、次回からは入力設定することなしに、同種の目的対象に接近した場合に、アイコン等を自動的に表示することができる。この場合、「自車位置表示マーキング情報」は、入力設定した種類毎に記憶することができ、また必要に応じて消去できるようにしておく。
また、上記実施の形態においては、例えば、県や市町村等の県境情報等が道路地図データに含まれている場合には、その県境情報等を取得したときに、自車マークの代わりにその地域を代表する産物、名所、行事に関するアイコンを表示するようにしてもよい。例えば山梨県に入った場合には、まず山梨県を代表する名所である八ヶ岳のアイコンを表示し、次いで山梨県を代表する産物として梨やぶどう、桃などのアイコンを順次表示することにより、山梨県に入ったことを容易に知ることができる。
また、情報データ取得部８が取得するマーキング情報を含む情報データは、新しいバージョンが出た場合には、新しいバージョンに更新することにより、最新の情報を利用することができる。
以上の説明から明らかなように、本発明に係る自車位置表示装置および自車位置表示方法は、自車マークを見るだけで必要な情報の視認性を高めることができるという効果を有し、自車の現在位置を検出して自車位置に対応する道路地図データを読み出し、ディスプレイ上に表示された道路地図上に自車マークを表示して経路を誘導する経路誘導装置やナビゲーション装置等に有用であり、さらに携帯用の経路誘導装置等に適用することも可能である。
本発明は、図面に示す好ましい実施の形態に基づいて説明されてきたが、当業者であれば、本発明の思想を逸脱することなく容易に各種の変更、改変し得ることは明らかである。本発明はそのような変更例も含むものである。
【図１】
2005022086.tif 000003
【図２】
2005022086.tif 000004
【図３】
2005022086.tif 000005
【図４】
2005022086.tif 000006
【図５】
2005022086.tif 000007
【国際調査報告】
2005022086.tif 000008
2005022086.tif 000009